(57)【要約】【課題】野地と屋根材との間に介在して水切を行う際に、施工時の踏み付け等により防止機能が損なわれることを防止することができると共に、取付施工が容易な屋根水切材を提供する。【解決手段】屋根水切材１は、野地７と屋根材８との間に介在して水切を行う折板材からなる。野地７と屋根材８との間に配置される平材部２と、この平材部２の端縁から屋根材８側に突出する防水堰３と、防水堰３の平材部２側の基端部５とは反対側の基端部６から延出された、野地７に固定される固定片４とを備える。防水堰３の長手方向と直交する面での断面形状が、平材部２側の基端部５と固定片４側の基端部６との間に収まる形状であり、且つこの防水堰３の長手方向と直交する方向の幅寸法が、屋根材８側ほど幅狭になるように形成されている。【選択図】図１
2009057689.tif 000002
【特許請求の範囲】
【請求項１】
野地と屋根材との間に介在して水切を行う屋根水切材であって、野地と屋根材との間に配置される平材部と、この平材部の端縁から屋根材側に突出する防水堰と、前記防水堰の平材部側の基端部とは反対側の基端部から延出された、野地に固定される固定片とを備え、前記防水堰の長手方向と直交する面での断面形状が、平材部側の基端部と固定片側の基端部との間に収まる形状であり、且つこの防水堰の長手方向と直交する方向の幅寸法が、屋根材側ほど幅狭になるように形成されていることを特徴とする屋根水切材。
【請求項２】
上記防水堰の断面形状が、平材部側の基端部が直角状の頂点をなす直角三角形状であることを特徴とする請求項１に記載の屋根水切材。
【発明の詳細な説明】
【技術分野】
【０００１】
従来、屋根のけらば部や谷部等には、屋根材８と野地７との間に雨水等の浸入を防止するための屋根水切材１が設けられている。このような屋根水切材１としては、屋根水切材１の端縁部分にハゼ返し９を設けたり、屋根水切材１から断面コ字状等の防水堰３を屋根材８側に突出させて設けたりしたものが用いられている（特許文献１，２参照）。
【０００２】
図９に屋根水切材１として屋根のけらば部の水切のためにけらば水切１０を設ける場合の例を示している。図示の例では野地７と屋根材８との間にけらば水切１０の平材部２を介在させており、この平材部２の端縁からは建物の妻側に向けて折り返されたハゼ返し９が設けられている。このハゼ返し９に吊子１２を引っ掛け嵌合すると共にこの吊子１２をビス等の固着具１３で野地７に固定することにより、けらば水切１０の端縁を固定している。尚、図中の符号１４は垂木を、１５は破風板を、１６は化粧破風を、１７はけらばスペーサを、１８は通しけらば包を、１９はアスファルトルーフィング等の防水シートを、それぞれ示す。これにより、建物の妻側において野地７と屋根材８との間に雨水等が進入しても、ハゼ返し９によって水の浸入を防ぐと共にこのハゼ返し９の長手方向に沿って軒側から排水されるようになっている。
【０００３】
また、図１０には屋根水切材１として屋根の谷部の水切のための谷水切１１を設ける場合の例を示している。図示の例では谷水切１１は断面逆Ｖ字状の止水部２０の両側の基端部からそれぞれ平材部２が屋根の谷部の傾斜に沿って延出されており、この平材部２が野地７と屋根材８との間に介在している。この各平材部２の端縁には、上記と同様にハゼ返し９が設けられると共に吊子１２にて固定されている。尚、図中の符号２１は谷木を、２２はもやを、２３はシーラーを、１９はアスファルトルーフィング等の防水シートをそれぞれ示す。これにより、屋根の谷部における屋根材８の継ぎ目から野地７と屋根材８との間に雨水等が進入しても、ハゼ返し９によって水の浸入を防ぐと共に雨水が止水部２０の両側の基端部に溜まり、この止水部２０の長手方向に沿って軒側から排水されるようになっている。
【特許文献１】特開２０００−２５７２１８号公報
【特許文献２】特開平５−１１３００９号公報
【発明の開示】
【発明が解決しようとする課題】
【０００４】
しかし、上記のようなハゼ返し９を有する屋根水切材１を設ける場合には、吊子１２を用いることにより屋根への固定は可能であるが、ハゼ返し９は平材部２の端縁を折り返しているだけであり、施工時に屋根材８を踏み付けたり、或いは吊子１２による固定に不具合があったりした場合にはハゼ返し９の形状が潰れてしまい、防水機能を充分に発揮できなくなる可能性があった。また、ハゼ返し９と吊子１２の間に水が浸入してしまうことで水切の機能を果たせなくなる危険性もあった。また、ハゼ返し９と吊子１２との嵌合はハゼを起こしたり切り取るなどの加工が必要であり、熟練した技術を要するものであった。
【０００５】
また、このようなハゼ返し９を有する複数の屋根水切材１を、図９に示すけらば水切１０を屋根の妻に沿って軒棟方向に複数連結し、或いは図１０に示す谷水切１１を屋根の谷に沿って複数連結して設ける場合には、隣接する屋根水切材１同士の端縁を一部重ねて設置する必要があるが、この場合、ハゼ返し９を有する屋根水切材１をそのまま重ねることはできず、図８（ｂ）に示すように一方の屋根水切材１のハゼ返し９を広げると共に他方の屋根水切材１のハゼ返し９を狭めた上で、前者のハゼ返し９に後者のハゼ返し９を差し込むようにして屋根水切材１を連結する必要があって、施工作業が面倒なものであった。
【０００６】
また、特許文献２に記載のように平材部２に例えば断面コ字状等の防水堰３を設けるような場合にも、施工時に屋根材８を踏み付けるなどして防水堰３が潰れて防水機能を発揮できなくなるおそれがあり、特に図１１（ａ）（ｂ）に示すように野地７への屋根水切材１の敷設時に防水堰３の両側の基端部５，６同士の間隔が本来の幅よりも狭くなるように敷設されてしまうと防水堰３は上方からの荷重に対する耐性が極端に弱くなり、前記のような防水堰３の潰れが生じやすくなってしまうものであった。
【０００７】
本発明は上記の点に鑑みて為されたものであり、野地と屋根材との間に介在して水切を行う際に、施工時の踏み付け等により防止機能が損なわれることを防止することができると共に、取付施工が容易な屋根水切材を提供することを目的とする。
【課題を解決するための手段】
【０００８】
請求項１に係る発明は、野地７と屋根材８との間に介在して水切を行う屋根水切材１であって、野地７と屋根材８との間に配置される平材部２と、この平材部２の端縁から屋根材８側に突出する防水堰３と、前記防水堰３の平材部２側の基端部５とは反対側の基端部６から延出された、野地７に固定される固定片４とを備え、前記防水堰３の長手方向と直交する面での断面形状が、平材部２側の基端部５と固定片４側の基端部６との間に収まる形状であり、且つこの防水堰３の長手方向と直交する方向の幅寸法が、屋根材８側ほど幅狭になるように形成されていることを特徴とする。
【０００９】
請求項２に係る発明は、請求項１において、上記防水堰３の断面形状が、平材部２側の基端部５が直角状の頂点をなす直角三角形状であることを特徴とする。
【発明の効果】
【００１０】
請求項１に係る発明によれば、屋根水切材１が設置されている箇所において屋根材８と野地７との間に水が浸入しても、この水の浸入を防水堰３により阻止することができる。また、この屋根水切材１を設置する際には、その固定片４を適宜の固着具１３にて野地７に固定すれば良く、屋根水切材１の設置が非常に容易なものとなって、作業者に高度な熟練を必要としないものとなる。また、防水堰３は上方からの荷重に対する耐性が高く、屋根の設置作業等において作業者等が防水堰３の上方で屋根材８を踏み付けるなどして防水堰３に上方からの荷重がかかったとしても、防水堰３は潰れにくくなり、この防水堰３による防水作用を維持することができるものであり、また平材部２が押し込まれてその配置位置が固定片４側にずれたり、屋根水切材１の設置時に固定片４の固定位置が平材部２側にずれたりして、防水堰３の両側の基端部５，６の間の間隔が狭くなる様な事態が生じたとしても、この防水堰３の断面形状が二つの基端部５，６の外側にはみ出るような形状になることが抑制され、防水堰３の上方からの荷重に対する高い耐久性を維持することができ、防水性能を維持することができる。また、複数の屋根水切材１を複数連結して設置する場合には、一方の屋根水切材１の端縁の上に他方の屋根水切材１の端縁を重ねるだけで、一方の防水堰３の上に他方の防水堰３を重ねることができて、防水堰３を拡張したり狭めたりするような必要がなくなり、屋根水切材１の連結を容易に行うことができる。
【００１１】
請求項２に係る発明によれば、防水堰３の固定片４側の側面よりも平材部２側の側面の方が頂点部から基端部５までの寸法が短くなり、防水堰３の両側の基端部５，６の間の間隔が狭くなる様な事態が生じた場合、平材部２側が上方に浮き上がることがあっても固定片４が上方に浮き上がることは抑制され、このため、固定片４が野地７から浮き上がることを防止することができ、屋根水切材１に高い取付強度が付与されると共にこの屋根水切材１による防水性能が維持されることとなる。
【発明を実施するための最良の形態】
【００１２】
以下、本発明を実施するための最良の形態について説明する。
【００１３】
第一の実施形態として、図１，２に、屋根水切材１を、建物の屋根のけらば部に設けられるけらば水切１０として形成したものを示す。
【００１４】
このけらば水切１０は一枚の金属製等の板材に折り曲げ加工を施して得られる折板材にて形成されている。けらば水切１０は平板状の平材部２の一端縁にこの端縁の全体に亘って上方に突出する防水堰３が設けられており、またこの防水堰３の前記平材部２側の基端部５とは反対側の基端部６からは、固定片４が延出されている。平材部２と固定片４とは面一に形成されている。また平材部２の防水堰３及び固定片４とは反対側の端縁からは仕舞片２４が上方に延出されており、この仕舞片２４の上端には固定片４側へ鋭角状に折り返した折返片２５が設けられている。
【００１５】
このけらば水切１０における上記防水堰３は、その長手方向と直交する面での断面形状が、平材部２側の基端部５と固定片４側の基端部６との間に収まる形状となるようにし、またこの防水堰３の長手方向と直交する方向の幅寸法が、屋根材８側ほど幅狭になるように形成する。このとき、防水堰３の平材部２側及び固定片４側の各側面は、各基部から９０°以上の立ち上がり角度θで立ち上がり、且つこの側面が外側に反り返ることなく上方に突出するように形成されるものである。
【００１６】
このような防水堰３は適宜の形状に形成することができるが、例えば図５（ａ）に示すような断面楕円弧状、図５（ｂ）に示すような断面逆Ｖ字状、図５（ｃ）に示すような台形状等に形成することができる。また、特に好ましくは、防水堰３の断面形状が、図５（ｄ）に示すように、平材部２側の基端部５が直角状の頂点をなす直角三角形状となるように形成するものである。このとき、前記直角状の頂点をなす基端部５からの立ち上がり角度θが９０°となる。
【００１７】
図１は、けらば水切１０を建物の屋根のけらば部に取り付けた様子を示す。図示の例では、垂木１４の上に設置された野地７にアスファルトルーフィング等の防水シート１９を敷設し、この野地７の上面の妻側の端縁に沿って、けらば水切１０を配置している。けらば水切１０は防水堰３に対して平材部２側が妻側に配置されるようにし、且つけらば水切１０と野地７の妻側端縁との間には適当な間隔があくようにしている。この状態で、けらば水切１０の固定片４にはビス等の固着具１３が野地７に至るまで打入されており、これにより、けらば水切１０が野地７に対して固定されている。
【００１８】
屋根材８は野地７の上に防水シート１９を介して設置されており、このとき屋根の妻側においては、屋根材８と野地７との間に、けらば水切１０の平材部２、防水堰３及び固定片４が介在するようになっている。また、この屋根材８の妻側の端面が、けらば水切１０の仕舞片２４と対向するようになっている。
【００１９】
また、折板材からなる、けらばスペーサ１７が取着されている。けらばスペーサ１７は、けらば水切１０と野地７の妻側端縁との間に配置される固定片２６と、この固定片２６の妻側端縁から下方に垂下して野地７の端面と対向する垂下片２７と、固定片２６の反対側の端縁から上方に立ち上がって仕舞片２４の外面側に沿って配置される立設片２８と、立設片２８の上端縁からけらば水切１０及び屋根材８側に延出され屋根材８の上方に配置される上片２９と、上片２９の端縁から斜め下方に向けて延出された保持片３０とを備える。このけらばスペーサ１７の固定片４にはビス等の固着具１３が野地７に至るまで打入されており、これにより、けらばスペーサ１７が野地７に対して固定されている。また、このとき同時にけらばスペーサ１７の上片２９がけらば水切１０の仕舞片２４の上端の上方に配置されることで、けらば水切１０の固定片４と反対側が上方に浮き上がることが阻止され、けらば水切１０が浮き上がり無く安定して固定される。
【００２０】
また、この屋根のけらば部を覆う、折板材からなる通しけらば包１８が取着されている。通しけらば包１８は、屋根材８、けらば水切１０、けらばスペーサ１７及び野地７の妻側に配置される縦包み片３１と、縦包み片３１の上端からけらばスペーサ１７の上片２９の上方に至るまで延出された上包み片３２とを有する断面Ｌ字状に形成されている。上包み片３２の端部はけらばスペーサ１７の上片２９に沿って配置されており、この上包み片３２の端縁からは、けらばスペーサ１７の保持片３０に沿って固定片３４が斜め下方に延出されている。この固定片３４の端縁は屋根材８の上面に当接している。また縦包み片３１の下端は野地７よりも下方に延出され、その下端からは水切り片３３が斜め下側外側方に向けて延出されている。この通しけらば包１８は、縦包み片３１にビス等の固着具１３が野地７に至るまで打入され、且つ固定片３４にビス等の固着具１３が保持片３０を貫通するように打入されており、これにより縦包み片３１が固定されている。
【００２１】
尚、図中の符号１５は破風板を、符号１６は破風板１５の外面に取着されている化粧破風を、それぞれ示す。
【００２２】
このような屋根のけらば構造では、屋根のけらば部は通しけらば包１８で覆われているが、この通しけらば包１８の内側に雨水等が浸入し、更に屋根材８と野地７との間にまで水が浸入しても、この水の浸入が防水堰３により阻止され、この防水堰３の長手方向に沿って屋根の軒側から排水されることとなる。
【００２３】
また、このような屋根のけらば構造において、けらば水切１０を設置する際には、その固定片４を適宜の固着具１３にて野地７に固定すれば良く、けらば水切１０の設置が非常に容易なものとなって、作業者に高度な熟練を必要としないものとなる。
【００２４】
また、防水堰３は、既述の通り長手方向と直交する面での断面形状が、平材部２側の基端部５と固定片４側の基端部６との間に収まる形状であり、且つこの防水堰３の長手方向と直交する方向の幅寸法が、屋根材８側ほど幅狭になるように形成されていることから、上方からの荷重に対する耐性が高く、このため、屋根のけらば部の設置作業等において作業者等が防水堰３の上方で屋根材８を踏み付けるなどして防水堰３に上方からの荷重がかかったとしても、防水堰３は潰れにくくなり、この防水堰３による防水作用を維持することができるものである。
【００２５】
また、既述のように防水堰３が屋根材８側ほど幅狭になるように形成されていため、けらばスペーサ１７等の他の部材により平材部２が押し込まれてその配置位置が固定片４側にずれたり、けらば水切１０の設置時に固定片４の固定位置が妻側にずれたりして、防水堰３の両側の基端部５，６の間の間隔が狭くなる様な事態が生じたとしても、この防水堰３の断面形状が二つの基端部５，６の外側にはみ出るような形状になることが抑制される（図６参照）。このため、防水堰３の上方からの荷重に対する高い耐久性を維持することができ、防水性能を維持することができる。
【００２６】
更に、防水堰３の断面形状が、平材部２側の基端部６が直角状の頂点をなす直角三角形状となるように形成した場合には、防水堰３の固定片４側の側面よりも平材部２側の側面の方が頂点部から基端部５までの寸法が短くなるため、図７に示すように平材部２側が上方に浮き上がることがあっても固定片４が上方に浮き上がることは抑制される。このため、固定片４が野地７から浮き上がることを防止することができ、けらば水切１０に高い取付強度が付与されると共にけらば水切１０の防水性能が維持される。
【００２７】
また、複数のけらば水切１０を屋根の妻に沿って軒棟方向に複数連結して設置する場合には、図８（ａ）に示すように一方のけらば水切１０の端縁の上に他方のけらば水切１０の端縁を重ねるだけで、一方の防水堰３の上に他方の防水堰３を重ねることができて、防水堰３を拡張したり狭めたりするような必要がなくなり、けらば水切１０の連結を容易に行うことができるものである。
【００２８】
次に、第二の実施形態として、図３，４に、屋根水切材１を、建物の屋根の谷部に設けられる谷水切１１として形成したものを示す。
【００２９】
この谷水切１１も、一枚の金属製等の板材に折り曲げ加工を施して得られる折板材にて形成されている。
【００３０】
この谷水切１１は、二つの平板状の平材部２の端縁同士を、断面逆Ｖ字状に上方に突出する止水部２０で接続した形状を有している。二つの平材部２は屋根の谷部の形状沿って止水部２０側に向けて下り傾斜するように形成されている。この各平材部２の止水部２０とは反対側の端縁には、この端縁の全体に亘って上方に突出する防水堰３が設けられており、またこの防水堰３の前記平材部２側の基端部５とは反対側の基端部６からは、固定片４が延出されている。平材部２と固定片４とは面一に形成されている。この谷水切１１における防水堰３の形状も、上記けらば水切１０の場合と同様に形成される。
【００３１】
図３は、谷水切１１を建物の屋根の谷部に取り付けた様子を示す。図示の例では、谷木２１及びもや２２の上に野地７が谷木２１側の両側から谷木２１に向けて下り傾斜するように設置されている。この野地７にアスファルトルーフィング等の防水シート１９を敷設し、この野地７の上面の谷部に沿って、谷水切１１を配置している。谷水切１１は止水部２０が谷木２１に沿って配置されるようにし、各平材部２が谷木２１の両側の野地７の上にそれぞれ配置されるようにしている。この状態で、谷水切１１の固定片４にはビス等の固着具１３が野地７に至るまで打入されており、これにより、谷水切１１が野地７に対して固定されている。
【００３２】
屋根材８は野地７の上に防水シート１９を介して設置されており、このとき屋根の谷部においては、屋根材８と野地７との間に、谷水切１１の平材部２、防水堰３及び固定片４が介在するようになっている。また、この屋根材８の谷部側の端面が、谷水切１１の止水部２０と対向するようになっている。
【００３３】
このような屋根の谷部構造では、屋根の谷部における屋根材８同士の突き合わせ部分において、屋根材８と止水部２０との間などから雨水等が浸入し、更に屋根材８と野地７との間にまで水が浸入しても、この水の浸入が防水堰３により阻止される。この水は防水堰３の長手方向に沿って屋根の軒側から排水されることとなり、或いは屋根の谷部の傾斜に沿って止水部２０側に溜まってこの止水部２０の長手方向に沿って屋根の軒側から排水されることとなる。
【００３４】
また、このような屋根の谷部構造においても、上記けらば構造の場合と同様に、谷水切１１を設置する際には、その固定片４を適宜の固着具１３にて野地７に固定すれば良く、谷水切１１の設置が非常に容易なものとなって、作業者に高度な熟練を必要としないものとなる。
【００３５】
また、防水堰３は、既述の通り長手方向と直交する面での断面形状が、平材部２側の基端部５と固定片４側の基端部６との間に収まる形状であり、且つこの防水堰３の長手方向と直交する方向の幅寸法が、屋根材８側ほど幅狭になるように形成されていることから、上方からの荷重に対する耐性が高く、このため、屋根の谷部の設置作業等において作業者等が防水堰３の上方で屋根材８を踏み付けるなどして防水堰３に上方からの荷重がかかったとしても、防水堰３は潰れにくくなり、この防水堰３による防水作用を維持することができるものである。
【００３６】
また、既述のように防水堰３が屋根材８側ほど幅狭になるように形成されていため、止水部２０が両側に広がるように変形するなどして平材部２が押し込まれてその配置位置が固定片４側にずれたり、谷水切１１の設置時に固定片４の固定位置が谷部側にずれたりして、防水堰３の両側の基端部５，６の間の間隔が狭くなる様な事態が生じたとしても、この防水堰３の断面形状が二つの基端部５，６の外側にはみ出るような形状になることが抑制される（図６参照）。このため、防水堰３の上方からの荷重に対する高い耐久性を維持することができ、防水性能を維持することができる。
【００３７】
更に、防水堰３の断面形状が、平材部２側の基端部５が直角状の頂点をなす直角三角形状となるように形成した場合には、防水堰３の固定片４側の側面よりも平材部２側の側面の方が頂点部から基端部５までの寸法が短くなるため、図７に示すように平材部２側が上方に浮き上がることがあっても固定片４が上方に浮き上がることは抑制される。このため、固定片４が野地７から浮き上がることを防止することができ、谷水切１１に高い取付強度が付与されると共に谷水切１１の防水性能が維持される。
【００３８】
また、複数の谷水切１１を屋根の谷に沿って複数連結して設置する場合には、図８（ａ）に示すように一方の谷水切１１の端縁の上に他方の谷水切１１の端縁を重ねるだけで、一方の防水堰３の上に他方の防水堰３を重ねることができて、防水堰３を拡張したり狭めたりするような必要がなくなり、谷水切１１の連結を容易に行うことができるものである。
【００３９】
以上のように、屋根水切材１について、けらば水切１０と谷水切１１について説明したが、屋根水切材１の形態はこれらに限るものではなく、野地７と屋根材８との間に介在して水切を行うものであれば、適宜のものを採用し得る。
【図面の簡単な説明】
【００４０】
【図１】本発明の実施の形態の一例を示す断面図である。
【図２】同上の屋根水切材であるけらば水切の構成を示すものであり、（ａ）斜視図、（ｂ）は断面図である。
【図３】本発明の実施の形態の他例を示す断面図である。
【図４】同上の屋根水切材である谷水切の構成を示すものであり、（ａ）は斜視図、（ｂ）は断面図である。
【図５】（ａ）乃至（ｄ）はそれぞれ屋根水切材における防水堰の構成の例を示す一部の断面図である。
【図６】（ａ）及び（ｂ）は、屋根水切材に図５（ｃ）に示す構成の防水堰を設ける場合の利点を説明するための一部の断面図である。
【図７】（ａ）及び（ｂ）は、屋根水切材に図５（ｄ）に示す構成の防水堰を設ける場合の利点を説明するための一部の断面図である。
【図８】（ａ）は本発明に係る屋根水切材同士の連結部分の例を示す断面図、（ｂ）は従来の屋根水切材同士の連結部分の例を示す断面図である。
【図９】従来技術の一例を示す断面図である。
【図１０】従来技術の他例を示す断面図である。
【図１１】（ａ）及び（ｂ）は、従来技術の更に他例を示すと共にその問題点を説明するための一部の断面図である。
【符号の説明】
【００４１】
１    屋根水切材
２    平材部
３    防水堰
４    固定片
５    基端部
６    基端部
７    野地
８    屋根材
【図１】
2009057689.tif 000003
【図２】
2009057689.tif 000004
【図３】
2009057689.tif 000005
【図４】
2009057689.tif 000006
【図５】
2009057689.tif 000007
【図６】
2009057689.tif 000008
【図７】
2009057689.tif 000009
【図８】
2009057689.tif 000010
【図９】
2009057689.tif 000011
【図１０】
2009057689.tif 000012
【図１１】
2009057689.tif 000013